(57)【要約】【課題】携帯端末装置に備えられた撮影機能において撮影され、生成された画像データをメールに添付してより早く、簡単に送信することができる携帯端末装置を提供する。【解決手段】携帯端末装置１００は、決定キー１７１の入力に基づいて撮影された場合には、メールアドレスに関連する情報を表示させることなく画像データを表示部１４０に表示させ、ワンタッチキー１７２の入力に基づいて撮影された場合には、画像データ及び当該ワンタッチキー１７２に登録されているメールアドレスに関連する情報の双方を表示部１４０に表示させ、当該ワンタッチキー１７２の入力により画像データ及びメールアドレスに関連する情報を表示部１４０に表示させた状態において、当該ワンタッチキー１７２の入力をさらに検出すると、当該メールアドレスを宛先とし、かつ画像データを添付した画像データ添付メールを作成させる。【選択図】図８
2011151449.tif 000002
【特許請求の範囲】
【請求項１】
撮影を実行する撮影手段と、
前記撮影手段に撮影指示することが可能な第１種キーと、
前記撮影手段に撮影指示すること及びメールアドレスを対応づけて記憶することの双方が可能な第２種キーと、
前記メールアドレスと前記第２種キーを対応付けて記憶する記憶手段と、
表示手段と、
前記撮影手段により撮影された画像データを前記表示手段に表示させる際、前記第２種キーの入力に基づいて撮影された場合には、前記画像データ及び当該第２種キーに対応づけて記憶されたメールアドレスに関連する情報の双方を前記表示手段に表示させ、前記第１種キーの入力に基づいて撮影された場合には、メールアドレスに関連する情報を表示させることなく前記画像データを前記表示手段に表示させ、前記第２種キーの入力により前記画像データ及び前記第２種キーに対応付けて記憶されたメールアドレスに関連する情報の双方を前記表示手段に表示させた状態において、前記第２種キーのさらなる入力を検出すると、前記第２種キーに対応付けて記憶されたメールアドレスを宛先とし、かつ前記画像データを添付した画像データ添付メールを作成する制御手段と、
を備えることを特徴とする携帯端末装置。
【請求項２】
前記制御手段は、前記第２種キーの入力により前記画像データ及び前記メールアドレスに関連する情報の双方を前記表示手段に表示させた状態において、当該メールアドレス宛に前記画像データ添付メールを作成するか又は前記画像データ添付メールを作成することなく前記画像データを保存するかの選択を促す画像を前記表示手段に表示させ、当該画像の表示される状態で前記第２種キーが入力されると、前記画像データ添付メールを作成することを特徴とする請求項１に記載の携帯端末装置。
【請求項３】
前記第２種キーは、複数の入力キーを含み、
前記記憶手段は、前記複数の入力キーのうち、第１入力キーに対して第１メールアドレス、第２入力キーに対して第２メールアドレス、をそれぞれ対応付けて記憶することを特徴とする請求項１又は２に記載の携帯端末装置。
【請求項４】
前記制御手段は、前記第１入力キーの入力により前記画像データ及び前記第１メールアドレスに関連する情報の双方を前記表示手段に表示させた状態において、前記第２入力キーによる入力を検出すると、前記画像データおよび前記第２メールアドレスに関連する情報の双方を前記表示手段に表示させることを特徴とする請求項３に記載の携帯端末装置。
【請求項５】
前記複数の入力キーには、メールアドレスの登録されていない第３入力キーをさらに含み、
前記制御手段は、前記第３入力キーの入力に基づいて撮影された場合には、画像データと共に前記第３入力キーにメールアドレスが登録されていない旨の表示を行うことを特徴とする請求項３又は４に記載の携帯端末装置。
【請求項６】
前記制御手段は、前記メールアドレスが登録されていない旨の表示を行う際、前記第３入力キーに対応するメールアドレス入力画面を前記表示手段に表示させることを特徴とすることを特徴とする請求項５に記載の携帯端末装置。
【請求項７】
前記制御手段は、前記第１入力キー又は前記第２入力キーの入力により前記画像データ及び前記第１メールアドレス又は前記画像データ及び前記第２メールアドレスのいずれか一つに関連する情報を前記表示手段に表示させた状態において、前記第３入力キーによる入力を検出すると、前記第３入力キーに対応するメールアドレス入力画面を前記表示手段に表示させることを特徴とする請求項５又は６に記載の携帯端末装置。
【発明の詳細な説明】
【技術分野】
【０００１】
本発明は、被写体を撮影する撮影機能付の携帯端末装置に係り、特に撮影機能付きの携帯電話やゲーム機、ＰＤＡなどの携帯端末装置に関する。
【背景技術】
【０００２】
近年、携帯電話機やＰＤＡ（Ｐｅｒｓｏｎａｌ  Ｄｉｇｉｔａｌ  Ａｓｓｉｓｔａｎｃｅ）などの携帯端末装置は多機能化が進み、電話帳機能や撮影機能等を備えた携帯端末装置が多く見受けられる。
【０００３】
このような撮影機能を備えた携帯端末装置を用いて撮影した静止画や動画は、電話帳に登録された特定の相手をあて先としてメールに添付して送信することもよく行われている。
【０００４】
従来、電話帳に登録されているメールアドレスの中で特定の相手をあて先として、撮影した画像を添付してメール送信する場合、まずいくつかの操作キーにそれぞれメールアドレスを割り当てる設定を行う。次に、カメラ撮影モードにおいて、その割り当てられた内のいずれかの操作キーを操作することで、カメラ部が捕らえた被写体を静止画の画像データとして生成する。さらに、生成された画像データが添付されると共に、操作された操作キーに割り当てられたメールアドレスをあて先としたメールを送信する。以上の従来技術は特許文献１において開示されている。
【０００５】
また、特許文献１においては、誤ったキーを押下することによって、意図しないあて先に画像データを添付したメールが送信されるのを防ぐために、生成された画像データとあて先のメールアドレスを一旦表示部に表示して、当該メールを表示されたメールアドレス宛に送信するか否かの選択及び指示をユーザが行えるようになっている。
【０００６】
しかし、この場合、当該画像データを送信するとの指示を行うキーはあて先メールアドレスが割り当てられたキーとは異なるキーであることが多いため、異なるキー間の操作は早急にメールを送信したいユーザにとっては手間がかかるものであった。
【先行技術文献】
【特許文献】
【０００７】
【特許文献１】特開２００９−１５９６３０号公報
【発明の概要】
【発明が解決しようとする課題】
【０００８】
本発明は、上記の点に鑑みてなされたもので、携帯端末装置に備えられた撮影機能において撮影され、生成された画像データをメールに添付してより早く、簡単に送信することができる携帯端末装置を提供することを目的とする。
【課題を解決するための手段】
【０００９】
上記課題を解決するため、本発明の携帯通信端末は、撮影を実行する撮影手段と、前記撮影手段に撮影指示することが可能な第１種キー及び第２種キーと、前記メールアドレスと前記第２種キーを対応付けて記憶する記憶手段と、表示手段と、前記撮影手段により撮影された画像データを前記表示手段に表示させる際、前記第２種キーの入力に基づいて撮影された場合には、前記画像データ及び当該第２種キーに登録されているメールアドレスに関連する情報の双方を前記表示手段に表示させ、前記第１種キーの入力に基づいて撮影された場合には、メールアドレスに関連する情報を表示させることなく前記画像データを前記表示手段に表示させ、前記第２種キーの入力により前記画像データ及び前記メールアドレスに関連する情報を前記表示手段に表示させた状態において、前記第２種キーの入力をさらに検出すると、当該メールアドレスを宛先とし、かつ前記画像データを添付した画像データ添付メールを作成する制御手段と、を備えることを特徴とする。
【００１０】
また、前記制御手段は、前記第２種キーの入力により前記画像データ及び前記メールアドレスに関連する情報の双方を前記表示手段に表示させた状態において、当該メールアドレス宛に前記画像データ添付メールを作成するか又は前記画像データ添付メールを作成することなく前記画像データを保存するかの選択を促す画像を前記表示手段に表示させ、当該画像の表示される状態で前記第２種キーが入力されると、前記画像データ添付メールを作成することが好ましい。
【００１１】
また、前記第２種キーは、複数の入力キーを含み、前記記憶手段は、前記複数の入力キーのうち、第１入力キーに対して第１メールアドレス、第２入力キーに対して第２メールアドレス、をそれぞれ対応付けて記憶することが好ましい。
【００１２】
また、前記制御手段は、前記第１入力キーの入力により前記画像データ及び前記第１メールアドレスに関連する情報を前記表示手段に表示させた状態において、前記第２入力キーによる入力を検出すると、前記画像データおよび前記第２メールアドレスに関連する情報を前記表示手段に表示させることが好ましい。
【００１３】
また、前記複数の入力キーには、メールアドレスの登録されていない第３入力キーをさらに含み、前記制御手段は、前記第３入力キーの入力に基づいて撮影された場合には、画像データと共に前記第３入力キーにメールアドレスが登録されていない旨の表示を行うことが好ましい。
【００１４】
また、前記制御手段は、前記メールアドレスが登録されていない旨の表示を行う際、前記第３入力キーに対応するメールアドレス入力画面を前記表示手段に表示させることが好ましい。
【００１５】
前記制御手段は、前記画像データ及び前記第１メールアドレス若しくは前記第２メールアドレスのいずれか一つに関連する情報を前記表示手段に表示させた状態において、前記第３入力キーによる入力を検出すると、前記第３入力キーに対応するメールアドレス入力画面を前記表示手段に表示させることが好ましい。
【発明の効果】
【００１６】
本発明は、携帯端末装置に備えられた撮影機能において撮影され、生成された画像データをメールに添付してより早く、簡単に送信することができる携帯端末装置を提供する。
【図面の簡単な説明】
【００１７】
【図１】本発明の一実施形態である携帯電話機のブロック図である。
【図２】同実施の形態である携帯電話機の開状態における内面側の外観図である。
【図３】同実施の形態である携帯電話機の閉状態における外面側の外観図である。
【図４】同実施の形態である携帯電話機のワンタッチキーに登録されている電話帳データの一例である。
【図５】同実施の形態である携帯電話機のワンタッチキーによる撮影動作からメール送信までの処理を示すフローチャート図である。
【図６】図５に対応する画面遷移を示す図である。
【図７】図５のフローチャートにおいてメールを送信せずに画像を保存する処理を示すフローチャート図である。
【図８】図５のフローチャートにおいてメールアドレス未登録のワンタッチキーに画像データ及びメールアドレス等の電話帳データを登録する処理を示すフローチャート図である。
【図９】図８に対応する画面遷移を示す図である。
【発明を実施するための形態】
【００１８】
以下、本発明に係る携帯端末装置の一実施形態である携帯電話機について図面を用いて説明する。
＜実施形態＞
＜構成＞
図１は、本発明の一実施形態である携帯電話機のブロック図である。図２は、同実施の形態である携帯電話機の開状態における内面側の外観図を示し、図３は、同実施の形態である携帯電話機の閉状態における外面側の外観図を示す。なお、図１から図３において、同一部分には同じ符号を附している。
【００１９】
携帯電話機１００は、第一筐体１０１と第二筐体１０２とがヒンジ部分により開閉可能に連結されている。第一筐体１０１には、内面側に表示部１４０、スピーカー１６２、ワンタッチキー１７２（ａ，ｂ，ｃ）が配置され、外面側にサブ表示部１４１、カメラ１５１、フラッシュランプ１５２が配置されている。
【００２０】
第２筐体１０２には、マイク１６１、キー操作部１７０が配置されている。
【００２１】
また、送受信アンテナ１２１は図２及び図３に示していないが、携帯電話機１０１の内部若しくは外部のいずれかに設置されている。
【００２２】
なお、本発明を説明する上で特に説明することを要しない機能については省略している。
【００２３】
制御部１１０は、携帯電話機１００を構成する各部を制御する。この制御部１１０は、図示しないＣＰＵ（中央処理装置）と、このＣＰＵを動作させる制御プログラムを含んでいる。なお、制御プログラムは後述するメモリ１３０に格納される。
【００２４】
無線通信部１２０は、電波を利用した無線通信を行うために、制御部１１０で処理された画像データ、音声情報、電子メール等の各種情報を変調して送受信アンテナ１２１を通して図示しない基地局を含む通信網に送信する。
【００２５】
また、無線通信部１２０は、基地局経由で通信相手から通信網を介して送信されてくる画像データ、音声情報、電子メール等を送受信アンテナ１２１を通して受信し、受信した各種情報を復調して制御部１１０に出力する。
【００２６】
メモリ１３０は、電話帳（電話帳プログラム及びそのデータ）、画像（画像データ）、制御プログラム等を記憶する記憶手段であり、ＲＡＭやＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）等を用いて構成される。
【００２７】
また、メモリ１３０に保存される画像は、カメラ１５１によって撮影された画像や外部サーバから無線通信部１２０及び送受信アンテナ１２１を用いて、図示しない外部ネットワークに接続し、外部サーバからダウンロードした画像でもよい。
【００２８】
さらに、メモリ１３０は、カメラ１５１により撮影を行うための撮影プログラムも記憶している。なお、電話帳や撮影アプリケーションは予め記憶していてもよいし、無線通信部１２０及び送受信アンテナ１２１を用いて、図示しない外部ネットワークに接続し、外部サーバからダウンロードしてもよい。
【００２９】
また、各ワンタッチキー１７２（ａ，ｂ，ｃ）と電話帳データの内の一部のデータは、対応づけて記憶されている。そのため、待ち受け状態や撮影モードにおいて、各ワンタッチキーが操作されると、そのワンタッチキーに対応づけて記憶された電話帳データが呼び起こされる。例えば、撮影モードにおいて、ワンタッチキー１７２（ａ，ｂ，ｃ）を操作して撮影すると、当該ワンタッチキー１７２（ａ，ｂ，ｃ）に登録されたメールアドレス宛に撮影した画像を添付して送付してよいかという確認を促す選択肢が表示部１４０に表示される。
【００３０】
表示部１４０は、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｔ）等の表示デバイスを有し、通話機能やメール機能のために入力した電話番号やメールアドレス、テキストデータ、画像データ等を表示する。
【００３１】
また、表示部１４０は、待ち受けモード時にアニメーションデータの待ち受け画面表示や、撮影モード時にカメラ部１５１を通して取り込まれた画像データを再生表示する機能を有する。
【００３２】
サブ表示部１４１は、表示部１４０より小さい表示デバイスで、筐体の外側に配置されており、電話の着信やメールの受信があった旨の通知が表示される。
【００３３】
カメラ制御部１５０は、ビデオ出力回路、ワークメモリ等から成り、携帯電話機１００が撮影モードに設定されると、カメラ部１５１から伝送されるデジタル信号を受けて表示出力回路により色調補正、解析度変換等の画像処理を行い、表示出力可能な画像データとして制御部１１０に伝送する。また、制御部１１０から撮影指示を受けると、当該指示を受けた時に生成された映像データをワークメモリに一時記録すると共に、当該画像データを、例えば静止画であればＪＰＥＧ等の所定の圧縮方式で圧縮し、圧縮された画像データを制御部１１０に伝送する機能を有する。
【００３４】
カメラ１５１は、カメラ制御部１５０と接続されており、撮影レンズとＣＣＤ（又はＣＭＯＳイメージセンサ）等から成る。携帯電話機１００が撮影モードに設定されると、撮影レンズを介して半導体受光素子の受光面に結像された画像を各受光素子における入射光量に応じた大きさの電気信号に変換し、さらに当該電気信号をＡ／Ｄ変換したデジタル信号をカメラ制御部１５０に伝送する。
【００３５】
音声処理部１６０は、音声ＣＯＤＥＣ（Ｅｎｃｏｄｅｒ／ＤＥＣｏｄｅｒ）を有し、制御部１１０を介して供給される通話音声信号を複合してスピーカー１６２に出力し、マイク１６１から入力された音声信号を圧縮符号化し制御部１１０を介して無線通信部１２０に送出する。また、この音声処理部１６０は、着信音等を再生するための音源を有し、制御部１１０の制御により着信音等のオーディオ信号をスピーカー１６２に供給する。
【００３６】
キー操作部１７０は、電話番号入力や仮名文字入力用の０から９までのテンキー、メニューキーや発呼キー等の各種ファンクションキー、カメラ撮影モードにおいて撮影指示を受け付けるボタンとして割り当てられる決定キー１７１とメモリ１３０に記憶されている電話帳データの一部のデータを選択して登録可能なワンタッチキー１７２（ａ，ｂ，ｃ）の各種操作キーを含む。
【００３７】
各種操作キーが操作されることにより、操作されたキーに割り当てられた指示は、制御部１１０へ伝送する。
【００３８】
決定キー１７１は、各種モードにおいて実行する、若しくは選択肢から選択して決定するボタンとして機能し、撮影モードにおいては撮影指示を受け付けるボタンとして機能する。
【００３９】
ワンタッチキー１７２（ａ，ｂ，ｃ）は、メモリ１３０に保存された電話帳データが対応付けて記憶されている。各ワンタッチキー１７２（ａ，ｂ，ｃ）を操作することにより当該ワンタッチキーに対応付けて記憶されている電話帳データを呼び出す。例えば、ワンタッチキー１７２（ａ，ｂ，ｃ）が操作されると、待ち受け状態においては、当該ワンタッチキーに対応付けて記憶されている電話番号が自動入力されて発呼し、また、撮影モードにおいては、制御部１１０に撮影指示を送信すると共にメーラーが起動し、当該ワンタッチキーに対応付けられて記憶されているメールアドレスが自動入力される。
【００４０】
なお、本実施形態におけるワンタッチキー１７２は３つ（１７２ａ，１７２ｂ，１７２ｃ）備えられているが、本発明はこの数に限られない。また、ワンタッチキーではなく、キー操作部のいずれかのキーにおいてワンタッチキーの機能を有していてもよく、例えばテンキー１〜３でもよい。
【００４１】
なお、本発明における携帯端末装置は、本実施携帯における携帯電話機に限られず、例えば、ＰＨＳ（Ｐｅｒｓｏｎａｌ  Ｈａｎｄｙｐｈｏｎｅ  Ｓｙｓｔｅｍ）、ＰＤＡ、ゲーム機等であってもよい。また、キー操作部としては、押圧可能なキーを用いて説明を行ったが、タッチセンサなど接触検知方式のキー操作部であってもよい。
＜データ＞
図４は、各ワンタッチキー１７２（ａ，ｂ，ｃ）に記憶されている電話帳データの一例である。電話帳データには、氏名、電話番号、メールアドレスが各ワンタッチキー１７２（ａ，ｂ，ｃ）に対応付けて記憶されている。各ワンタッチキー１７２（ａ，ｂ，ｃ）への電話帳データの登録は、未登録のワンタッチキー１７２（ａ，ｂ，ｃ）を操作すると電話帳データ登録画面が表示部１４０に表示され、氏名、電話番号、メールアドレス等のデータを入力することにより行われる。本実施形態において、ワンタッチキー１７２ａ、１７２ｂは電話帳データが登録済であるが、ワンタッチキー１７２ｃについては電話帳データが未登録であるため、対応する氏名、電話番号、メールアドレスが存在しない。なお、本発明はこのような登録形態に限られず、例えば、全てのワンタッチキー１７２（ａ，ｂ，ｃ）に電話番号等が登録済であってもよく、逆に全てのワンタッチキー１７２（ａ，ｂ，ｃ）に電話帳データが未登録であってもよい。
＜動作＞
始めに、カメラ撮影モードにおいて撮影した画像をメールに添付して送信する処理について、図５、６を参照して説明する。図５はその処理を示すフローチャートであり、図６はその処理に対応する画面遷移を示す図である。
【００４２】
初期状態では、携帯電話機１００は、表示部１４０において待ち受け画面を表示している（図６：１０１）。
【００４３】
まず、携帯電話機１００の撮影モードが起動されると（ステップＳ１）、カメラ１５１により取り込まれた映像が表示部１４０に表示されているモニター状態となる（図６：１０２）。続いて、ワンタッチキー１７２（ａ，ｂ，ｃ）のいずれかが操作されると（ステップＳ２：ＹＥＳ）、モニター状態で表示部１４０に表示されていた映像が確定されてカメラ部１５１によって撮影される。撮影された画像は、表示部１４０に表示される（ステップＳ３）。また、ワンタッチキー１７２が操作されず（ステップＳ２：ＮＯ）、撮影モードにおいて撮影キーとして機能付けられている決定キー１７１が操作されると（ステップＳ１１）、ステップＳ２と同様に画像が撮影される（ステップＳ１２）。撮影された画像を保存するか否かについては後述の図７のフローチャートにて説明する。
【００４４】
ステップＳ２において、メールアドレスが登録されているワンタッチキー１７２ａ、１７２ｂのいずれかを操作して撮影された場合（ステップＳ３）、制御部１１０は、メールアドレスが対応付けてメモリ１３０に保存（登録）されていると判定する（ステップＳ４：ＹＥＳ）。
【００４５】
ステップＳ４の判定の結果、その登録されたメールアドレスに対応する氏名や電話番号等の関連情報と、当該メールアドレス宛に撮影した画像を添付したメールを作成するか又は当該メールを作成せずに画像を保存するかの選択を促す表示と、を表示部１４０に表示させる（ステップＳ５）（図６：１０３）。
【００４６】
また、メールアドレスが登録されていないワンタッチキー１７２ｃを操作して撮影された場合（ステップＳ４：ＮＯ）は後述する図８のフローチャートにて説明する。
【００４７】
ステップＳ５において、ワンタッチキー１７２（ａ，ｂ，ｃ）のいずれかが操作されると（ステップＳ６：ＹＥＳ）、制御部１１０はステップＳ２において操作されたワンタッチキー１７２（ａ，ｂ，ｃ）と同一か否かを判定する（ステップＳ７）。ステップＳ２において操作されたワンタッチキー１７２（ａ，ｂ，ｃ）と同一であると判定された場合（ステップＳ７：ＹＥＳ）、当該ワンタッチキー１７２（ａ，ｂ，ｃ）に対応付けてメモリ１３０に記憶されたメールアドレスを宛先として画像データを添付したメールが生成される（ステップＳ８）（図６：１０４）。
【００４８】
具体的には、ステップＳ２においてワンタッチキー１７２ａが操作され、さらにステップＳ６においてワンタッチキー１７２ａが操作された時が該当する。なお、ワンタッチキー１７２ａをワンタッチキー１７２ｂに置き換えても同様である。
【００４９】
また、ステップＳ６においてステップＳ２と異なるワンタッチキー１７２（ａ，ｂ，ｃ）が押下された際（ステップＳ７：ＮＯ）には、ステップＳ４に戻り、制御部１１０によって、ステップＳ６において操作されたワンタッチキー１７２（ａ，ｂ，ｃ）にメールアドレスが登録されているか否かの判定がされる（ステップＳ４）。
【００５０】
具体的には、ステップＳ２においてワンタッチキー１７２ａが操作され、ステップＳ６においてワンタッチキー１７２ｂ若しくはワンタッチキー１７２ｃが操作された時が該当する。
【００５１】
ステップＳ６においてワンタッチキー１７２ｂが操作された場合、ステップＳ７からステップＳ４に戻り、ステップＳ５において、ワンタッチキー１７２ｂに対応付けて保存された電話帳データが表示されるため、図６：１０３において「山田一郎へ送信」から「鈴木次郎へ送信」に表示が切り替わる。その一方で、ステップＳ６においてワンタッチキー１７２ｃが操作された場合、前述と同様にステップＳ７からステップＳ４に戻るが、アドレスが未登録のため（ステップＳ４：ＮＯ）、図８のフローチャートに移動する。その説明については後述する。
【００５２】
また、ステップＳ５において、ワンタッチキー１７２（ａ，ｂ，ｃ）に登録されたメールアドレスを宛先としてメールを作成するかメールを作成せずに保存するかの選択を促す表示に基づいて、ワンタッチキー１７２（ａ，ｂ，ｃ）を操作せずにキー操作部１７０及び決定キー１７１の操作により画像を添付したメールの作成が選択された場合（ステップＳ１３：ＹＥＳ）、ステップＳ８に移る。
【００５３】
そして、ステップＳ８において、宛先が設定され、画像データが添付されたメールが生成され、表示部１４０に表示される（図６：１０４）。逆に、メールを作成せずに画像データを保存することが選択された場合（ステップＳ１３：ＮＯ）、図７において後述する。
【００５４】
ユーザは、あて先が設定されると共に画像データが添付されたメールを同一のワンタッチキー１７２（ａ，ｂ，ｃ）若しくは決定キー１７１の操作により送信指示するか、若しくは本文やタイトル、宛先等を追加し、そのメールを送信するか、又はメールを送信せずに保存しておくかを選択することができる（ステップＳ９）。
【００５５】
制御部１１０は、メールを送信（図６：１０５）若しくはメールをメモリ１３０に保存し、撮影モードを終了するか否かをキー操作部１７０及び決定キー１７１の操作の入力により決定する。撮影モードを継続する操作が行われた場合（ステップＳ１０：ＮＯ）、ステップＳ１後のモニター状態に戻り（図６：１０２）、一方で、撮影モードを終了する操作が行われた場合は、撮影モードが終了し、待ちうけ状態となる（ステップＳ１０：ＹＥＳ）（図６：１０１）。
【００５６】
図５の方法において、撮影した画像を、メールアドレスが登録された複数のワンタッチキー１７２（ａ，ｂ，ｃ）を操作することでメールに添付して送信する際、同一のワンタッチキー１７２（ａ，ｂ，ｃ）の操作を２度求めることにより確認の画面を表示できるにも関らず、ユーザは特段の指の移動を必要としない。そのため、簡便な操作で確実に特定の相手へ画像を添付したメールを送信することができる。
【００５７】
次に、図５のステップＳ１２、ステップＳ１３：ＮＯにおいて、撮影した画像データを保存する処理について図７のフローチャートを参照して説明する。
【００５８】
まず、図５のステップＳ１２において、決定キー１７１が操作されることにより画像を撮影するか、若しくはステップＳ１３ＮＯにおいてメールを作成せずに画像データを保存するかが選択された場合、制御部１１０は、画像データ保存するか否かの選択を促す選択肢を表示部１４０に表示する（ステップＳ３１）。
【００５９】
次に、画像データの保存が決定キー１７１により操作されると（ステップＳ３１：ＹＥＳ）、制御部１１０が画像データをメモリ１３０に保存し（ステップＳ３２）、図５におけるステップＳ１０に移動する。逆に、画像データを保存しないことが決定キー１７１により操作されると（ステップＳ３１：ＮＯ）、画像データが破棄され、ステップＳ１０に移動する。
【００６０】
図７の方法において、撮影した画像をメールに送信することなく、簡単に保存することができる。
【００６１】
また、図５のステップＳ２において、メールアドレス未登録のワンタッチキー１７２ｃにより操作された場合（ステップＳ４：ＮＯ）、ワンタッチキー１７２ｃに画像データ及びメールアドレス等の電話帳データを対応づけて保存する処理について図８、９を参照して説明する。図８はその処理を示すフローチャートであり、図９はその処理に対応する画面遷移を示す図である。
【００６２】
まず、制御部１１０は、撮影モード起動後（ステップＳ１）、メールアドレス未登録のワンタッチキー１７２ｃの入力があったと判定した場合（ステップＳ４：ＮＯ）、若しくはステップＳ７からステップＳ４に戻りワンタッチキー１７２ｃの入力があったと判定した場合において、表示部１４０にメールアドレス未登録の旨の表示及び電話帳データを登録するか否かの選択を促す表示を表示部１４０において実行する（ステップＳ２１）（図９：２０２）。
【００６３】
続いて、制御部１１０は、ステップＳ２１に表示される選択肢に基づき、「はい」の選択を検出すると、メールアドレスに加えて氏名、電話番号等の電話帳データの各項目を登録可能な登録画面を、画像データが既に添付された状態で、表示部１４０に表示する（ステップＳ２３）（図９：２０３）。逆に、「いいえ」が選択されると、図７の画像データを保存するステップＳ３１へ移動する（Ｓ２２：ＮＯ）。
【００６４】
さらに、制御部１１０は、キー操作部１７０により登録画面の各項目に文字等を入力する編集操作が行われ（ステップＳ２４）（図９：２０４）、さらに決定キー１７１若しくはキー操作部１７０が操作されることにより電話帳データをワンタッチキー１７２ｃと対応付けてメモリ１３０に保存する（ステップＳ２５）（図９：２０５）。
【００６５】
電話帳データ登録完了後は、図５のステップＳ８に移動し、制御部１１０によって、ワンタッチキー１７２ｃに新たに登録されたメールアドレスを宛先として画像データを添付したメールが作成される。ステップＳ８以下の処理は、前述の通りである。
【００６６】
図８の方法において、メールアドレスが登録されていないワンタッチキーによって撮影が行われても、指定の宛先に画像データが添付されたメールを簡単な操作で送信することができるので操作性、利便性が向上する。
【００６７】
以上、本発明の実施形態を、図面を参照して詳述した。もちろん、本発明の具体的な構成はこの実施形態に限られるものではなく、この発明の要旨を逸脱しない範囲の構成等も含まれる。
【符号の説明】
【００６８】
１００  携帯電話機（携帯端末装置）
１０１  第一筐体
１０２  第二筐体
１１０  制御部（制御手段）
１２０  無線通信部
１２１  送受信アンテナ
１３０  メモリ（記憶部）
１４０  表示部（表示手段）
１４１  サブ表示部
１５０  カメラ制御部（撮影手段）
１５１  カメラ部（撮影手段）
１５２  フラッシュランプ
１６０  音声処理部
１６１  マイク
１６２  スピーカー
１７０  キー操作部
１７１  決定キー（第１種キー）
１７２  ワンタッチキー（第２種キー）
１７２ａ  （第１入力キー）
１７２ｂ  （第２入力キー）
１７２ｃ  （第３入力キー）
【図１】
2011151449.tif 000003
【図２】
2011151449.tif 000004
【図３】
2011151449.tif 000005
【図４】
2011151449.tif 000006
【図５】
2011151449.tif 000007
【図６】
2011151449.tif 000008
【図７】
2011151449.tif 000009
【図８】
2011151449.tif 000010
【図９】
2011151449.tif 000011